(57)【特許請求の範囲】
【請求項１】
音声による通話及びインターネットへの接続を可能とする送受信部と、データを手動で入力する操作部と、データを表示する表示部とを備えた電話機に用いられる送信装置において、
電話番号、この電話番号に対応するメールアドレス、及びこれらに関連するＵＲＬを前記操作部を介して入力する送信データ入力手段と、
この送信データ入力手段から入力された電話番号、メールアドレス及びＵＲＬを記憶する送信データ記憶手段と、
この送信データ記憶手段に記憶された電話番号に対応するメールアドレスを宛先とし本文に前記電話番号と前記メールアドレスに関連するＵＲＬを含むメールを作成する送信メール作成手段と、
前記送信データ記憶手段に記憶された電話番号に音声信号を前記送受信部を介して発信すると同時に、前記送信メール作成手段を作動させて前記発信先の電話番号に対応する前記メールを作成し、このメールを前記送受信部を介して送信するデータ送信手段と、
を備えたことを特徴とする送信装置。
【請求項２】
前記データ送信手段で送信されたメールに含まれるＵＲＬを前記表示部に表示する送信側ＵＲＬ表示手段を、
更に備えたことを特徴とする請求項１記載の送信装置。
【請求項３】
音声による通話及びインターネットへの接続を可能とする送受信部と、データを手動で入力する操作部と、データを表示する表示部とを備えた電話機に用いられる送受信装置において、
電話番号、この電話番号に対応するメールアドレス、及びこれらに関連するＵＲＬを前記操作部を介して入力する送信データ入力手段と、
この送信データ入力手段から入力された電話番号、メールアドレス及びＵＲＬを記憶する送信データ記憶手段と、
この送信データ記憶手段に記憶された電話番号に対応するメールアドレスを宛先とし本文に前記電話番号と前記メールアドレスに関連するＵＲＬを含むメールを作成する送信メール作成手段と、
前記送信データ記憶手段に記憶された電話番号に音声信号を前記送受信部を介して発信すると同時に、前記送信メール作成手段を作動させて前記発信先の電話番号に対応する前記メールを作成し、このメールを前記送受信部を介して送信するデータ送信手段と、
音声信号を前記送受信部を介して受信するとともに、この音声信号と同時に送信されたＵＲＬを含むメールを前記送受信部を介して受信するデータ受信手段と、
このデータ受信手段で受信されたメールに含まれるＵＲＬを前記表示部に表示する受信側ＵＲＬ表示手段と、
を備えたことを特徴とする送受信装置。
【請求項４】
前記データ送信手段で送信されたメールに含まれるＵＲＬを前記表示部に表示する送信側ＵＲＬ表示手段を、
更に備えたことを特徴とする請求項３記載の送受信装置。
【請求項５】
前記送信側ＵＲＬ表示手段は前記ＵＲＬをそのまま又はアイコン化して前記表示部に表示する、
請求項２記載の送信装置。
【請求項６】
前記送信側ＵＲＬ表示手段は前記ＵＲＬをそのまま又はアイコン化して前記表示部に表示する、
請求項４記載の送受信装置。
【請求項７】
前記受信側ＵＲＬ表示手段は前記ＵＲＬをそのまま又はアイコン化して前記表示部に表示する、
請求項３又は４記載の送受信装置。
【請求項８】
音声による通話及びインターネットへの接続を可能とする送受信部と、データを手動で入力する操作部と、データを表示する表示部とを備えた電話機に用いられる送信プログラムにおいて、
電話番号、この電話番号に対応するメールアドレス、及びこれらに関連するＵＲＬを前記操作部を介して入力する送信データ入力手段、
この送信データ入力手段から入力された電話番号、メールアドレス及びＵＲＬを記憶する送信データ記憶手段、
この送信データ記憶手段に記憶された電話番号に対応するメールアドレスを宛先とし本文に前記電話番号と前記メールアドレスに関連するＵＲＬを含むメールを作成する送信メール作成手段、
及び、前記送信データ記憶手段に記憶された電話番号に音声信号を前記送受信部を介して発信すると同時に、前記送信メール作成手段を作動させて前記発信先の電話番号に対応する前記メールを作成し、このメールを前記送受信部を介して送信するデータ送信手段として、
コンピュータを機能させることを特徴とする送信プログラム。
【請求項９】
更に、前記データ送信手段で送信されたメールに含まれるＵＲＬを前記表示部に表示する送信側ＵＲＬ表示手段として、
前記コンピュータを機能させる請求項８記載の送信プログラム。
【請求項１０】
音声による通話及びインターネットへの接続を可能とする送受信部と、データを手動で入力する操作部と、データを表示する表示部とを備えた電話機に用いられる送受信プログラムにおいて、
電話番号、この電話番号に対応するメールアドレス、及びこれらに関連するＵＲＬを前記操作部を介して入力する送信データ入力手段、
この送信データ入力手段から入力された電話番号、メールアドレス及びＵＲＬを記憶する送信データ記憶手段、
この送信データ記憶手段に記憶された電話番号に対応するメールアドレスを宛先とし本文に前記電話番号と前記メールアドレスに関連するＵＲＬを含むメールを作成する送信メール作成手段、
前記送信データ記憶手段に記憶された電話番号に音声信号を前記送受信部を介して発信すると同時に、前記送信メール作成手段を作動させて前記発信先の電話番号に対応する前記メールを作成し、このメールを前記送受信部を介して送信するデータ送信手段、
音声信号を前記送受信部を介して受信するとともに、この音声信号と同時に送信されたＵＲＬを含むメールを前記送受信部を介して受信するデータ受信手段、
及び、このデータ受信手段で受信されたメールに含まれるＵＲＬを前記表示部に表示する受信側ＵＲＬ表示手段として、
コンピュータを機能させることを特徴とする送受信プログラム。
【請求項１１】
更に、前記データ送信手段で送信されたメールに含まれるＵＲＬを前記表示部に表示する送信側ＵＲＬ表示手段として、
前記コンピュータを機能させる請求項１０記載の送受信プログラム。
【請求項１２】
前記送信側ＵＲＬ表示手段は前記ＵＲＬをそのまま又はアイコン化して前記表示部に表示する、
請求項９記載の送信プログラム。
【請求項１３】
前記送信側ＵＲＬ表示手段は前記ＵＲＬをそのまま又はアイコン化して前記表示部に表示する、
請求項１１記載の送受信プログラム。
【請求項１４】
前記受信側ＵＲＬ表示手段は前記ＵＲＬをそのまま又はアイコン化して前記表示部に表示する、
請求項１０又は１１記載の送受信プログラム。
【発明の詳細な説明】
【０００１】
【発明の属する技術分野】
本発明は、インターネットに接続可能な電話機（携帯電話機、通話機能付き携帯型情報端末（ＰＤＡ：personal digital assistant）、通話機能付きパーソナルコンピュータ等を含む。）に用いられる、送信装置、受信装置及び送受信装置、並びに送信プログラム、受信プログラム及び送受信プログラムに関する。
【０００２】
【従来の技術】
近年、携帯電話機からインターネットへ接続するためのサービスが各社から提供されている。この携帯電話機にはテキスト中心のＨＴＭＬ（hyper text markup language）ブラウザが搭載されているので、メールやホームページなどの文字情報をネットワークから携帯電話機に取り出すことができる。また、携帯電話機に表示されるメールに電話番号やインターネット・アドレス（ＵＲＬ：uniform resource locator）が記載してあると、その部分をクリックすることにより、電話をかけたりそのサイトにジャンプしたりする機能も付設されている。そのため、発信側と受信側とで、同じホームページを見ながら通話することも可能となっている。
【０００３】
【発明が解決しようとする課題】
しかしながら、この種の携帯電話機では、同じホームページを見るために必要なＵＲＬを、通話の中で伝えるか、又は通話時以外にメール等によって伝える必要があった。そのため、通話したいときに簡単にＵＲＬを相手に伝えることができないという欠点があった。
【０００４】
【発明の目的】
そこで、本発明の目的は、ホームページを見ながら通話する場合に、簡単にＵＲＬを相手に伝えることができる、送信装置、受信装置及び送受信装置、並びに送信プログラム、受信プログラム及び送受信プログラムを提供することにある。
【０００５】
【課題を解決するための手段】
本発明は、音声による通話及びインターネットへの接続を可能とする送受信部と、データを手動で入力する操作部と、データを表示する表示部とを備えた電話機に用いられる送受信装置である。そして、本発明に係る送受信装置は、電話番号、この電話番号に対応するメールアドレス、及びこれらに関連するＵＲＬを操作部を介して入力する送信データ入力手段と、この送信データ入力手段から入力された電話番号、メールアドレス及びＵＲＬを記憶する送信データ記憶手段と、この送信データ記憶手段に記憶された電話番号に対応するメールアドレスを宛先とし本文に電話番号とメールアドレスに関連するＵＲＬを含むメールを作成する送信メール作成手段と、送信データ記憶手段に記憶された電話番号に音声信号を送受信部を介して発信すると同時に、送信メール作成手段を作動させて発信先の電話番号に対応するメールを作成し、このメールを送受信部を介して送信するデータ送信手段と、このデータ送信手段で送信されたメールに含まれるＵＲＬを表示部に表示する送信側ＵＲＬ表示手段と、音声信号を送受信部を介して受信するとともに、この音声信号と同時に送信されたＵＲＬを含むメールを送受信部を介して受信するデータ受信手段と、このデータ受信手段で受信されたメールに含まれるＵＲＬを表示部に表示する受信側ＵＲＬ表示手段と、を備えたことを特徴とする（請求項４）。
【０００６】
互いに関連する電話番号、メールアドレス及びＵＲＬは、操作部及び送信データ入力手段を介して、送信データ記憶手段に記憶される。送信メール作成手段は、前記ＵＲＬを含むメールを作成する。送信時において、データ送信手段は、前記電話番号に音声信号を送受信部を介して発信すると同時に、前記メールアドレスに前記メールを送受信部を介して送信する。ここでいう「同時」とは、音声信号の送信とメールの送信とが多少前後する場合も含まれる。続いて、送信側ＵＲＬ表示手段は、この送信されたメールに含まれるＵＲＬを表示部に表示する。表示されたＵＲＬをクリックすることにより、送信側でそのＵＲＬのホームページを見ることができる。
【０００７】
一方、受信時において、データ受信手段は、音声信号を送受信部を介して受信するとともに、この音声信号と同時に送信されたＵＲＬを含むメールを送受信部を介して受信する。続いて、受信側ＵＲＬ表示手段は、前記メールに含まれるＵＲＬを表示部に表示する。表示されたＵＲＬをクリックすることにより、受信側でも送信側と同じホームページを見ることができる。
【０００８】
送信側では、電話番号、メールアドレス及びＵＲＬが予め関連付けられて記憶され、通常の通話の操作をするだけでＵＲＬが受信側へ送信される。受信側では、通常の通話の操作をするだけでＵＲＬが表示部に表示される。したがって、ホームページを見ながら通話する場合に、簡単にＵＲＬを相手に伝えることができるので、操作性が向上する。
【０００９】
本発明に係る送信装置は、前述の各手段のうち、送信データ入力手段、送信データ記憶手段、送信メール作成手段、データ送信手段、及び送信側ＵＲＬ表示手段を備えたものである（請求項２）。なお、送信側ＵＲＬ表示手段は省略してもよい（請求項１、３）
【００１０】
また、送信側ＵＲＬ表示手段又は受信側ＵＲＬ表示手段は、ＵＲＬをそのまま又はアイコン化して表示部に表示する、としてもよい（請求項５〜７）。
【００１１】
本発明に係る送信プログラム及び送受信プログラムは、前述の各手段としてコンピュータを機能させるものである（請求項８〜１４）。
【００１２】
換言すると、本発明では、関連ＵＲＬ格納領域と同時送信フラグを具備し、通話と同時にこれらを使ってメールを自動作成及び送信することによって、通常の通話と同じ操作でＵＲＬを送信する手段を提供するとともに、簡単に関連ＵＲＬ格納領域と同時送信フラグとの入力を行なう手段を提供する。
【００１３】
すなわち、携帯電話機等において、音声通話を行ないながらお互いに同一のホームページ等を見る場合に、閲覧を行なうＵＲＬを音声発信と同時にメールにて送信する手段を提供する。本発明は、電話番号と閲覧するＵＲＬとを関連付けたメモリを用意しておき、メモリを使用して電話番号を発信すると同時に関連付けされたＵＲＬを含むメールを発信する手段と、メモリに電話番号とＵＲＬを関連付ける手段とを備えるものである。
【００１４】
【発明の実施の形態】
図１は、本発明に係る送受信装置の一実施形態を示す機能ブロック図である。以下、この図面に基づき説明する。
【００１５】
本実施形態の送受信装置１０は、音声による通話及びインターネットへの接続を可能とする送受信部１８と、データを手動で入力する操作部４４と、データを表示する表示部４３とを備えた電話機１９に用いられる。そして、送受信装置１０は、電話番号１１、電話番号１１に対応するメールアドレス１２、及びこれらに関連するＵＲＬ１３を操作部４４を介して入力する送信データ入力手段２０と、送信データ入力手段２０から入力された電話番号１１、メールアドレス１２及びＵＲＬ１３を記憶する送信データ記憶手段２２と、送信データ記憶手段２２に記憶されたＵＲＬ１３を含むメール１４を作成する送信メール作成手段２４と、送信データ記憶手段２２に記憶された電話番号１１に音声信号を送受信部１８を介して発信すると同時に、送信データ記憶手段２２に記憶されたメールアドレス１２に、送信メール作成手段２４で作成されたメール１４を送受信部１８を介して送信するデータ送信手段２６と、データ送信手段２６で送信されたメール１４に含まれるＵＲＬ１３を表示部４３に表示する送信側ＵＲＬ表示手段２８と、音声信号を送受信部１８を介して受信するとともに、この音声信号と同時に送信されたＵＲＬ１５を含むメール１６を送受信部１８を介して受信するデータ受信手段３０と、データ受信手段３０で受信されたメール１６に含まれるＵＲＬ１５を表示部４３に表示する受信側ＵＲＬ表示手段３２とを備えている。
【００１６】
互いに関連する電話番号１１、メールアドレス１２及びＵＲＬ１３は、操作部４４及び送信データ入力手段２０を介して、送信データ記憶手段２２に記憶される。送信メール作成手段２４は、ＵＲＬ１３を含むメール１４を作成する。送信時において、データ送信手段２６は、電話番号１１に音声信号を送受信部１８を介して発信すると同時に、メールアドレス１２にメール１４を送受信部１８を介して送信する。続いて、送信側ＵＲＬ表示手段２８は、この送信されたメール１４に含まれるＵＲＬ１３を表示部４３に表示する。表示されたＵＲＬ１３をクリックすることにより、送信側でそのＵＲＬ１３のホームページを見ることができる。
【００１７】
一方、受信時において、データ受信手段３０は、音声信号を送受信部１８を介して受信するとともに、この音声信号と同時に送信されたＵＲＬ１５を含むメール１６を送受信部１８を介して受信する。続いて、受信側ＵＲＬ表示手段３２は、メール１６に含まれるＵＲＬ１５を表示部４３に表示する。表示されたＵＲＬ１５をクリックすることにより、受信側でも送信側と同じホームページを見ることができる。
【００１８】
送信側では、電話番号１１、メールアドレス１２及びＵＲＬ１３が予め関連付けられて記憶され、通常の通話の操作をするだけでＵＲＬ１３が受信側へ送信される。受信側では、通常の通話の操作をするだけでＵＲＬ１５が表示部４３に表示される。したがって、ホームページを見ながら通話する場合に、簡単にＵＲＬ１３，１５を相手に伝えることができるので、操作性が向上する。
【００１９】
図２及び図３は送受信装置１０を携帯電話機に適用した具体例であり、図２はブロック図、図３は外観図である。以下、図１乃至図３に基づき説明する。
【００２０】
携帯電話機３８は、無線アンテナ４０、無線部４１、制御部４２、表示部４３、操作部４４、ＲＯＭ部４５、ＲＡＭ部４６、通話部４７等から構成されている。無線アンテナ４０、無線部４１及び通話部４７は、図１における送受信部１８に相当する。制御部４２、ＲＯＭ部４５及びＲＡＭ部４６からなるコンピュータは、送受信プログラムによって図１における送受信装置１０の各手段として機能する。したがって、送受信装置１０の動作は、制御部４２、ＲＯＭ部４５及びＲＡＭ部４６の動作に置き換えて説明する。
【００２１】
無線部４１は送受信回路からなる。無線アンテナ４０を通して無線部４１で受信されたデータは、制御部４２によってデータの種類ごとに分類されＲＯＭ部４５又はＲＡＭ部４６に格納される。これと同時に、表示部４３にそのデータの内容が表示される。受信したデータが音声データであれば、通話部４７により通話ができる。操作部４４は、キーパッド等からなり、０〜９までの数字を入力可能とするとともに、表示部４３の表示内容を操作することができる。通話部４７は、マイクロフォン４７１及びスピーカ４７２からなり、これらにより受話及び送話が行われる。一方、操作部４４によって入力された電話番号又は、ＲＡＭ４６に格納された電話番号は、制御部４２から無線部４１を通じて音声データとして送信処理が行なわれる。これにより、通話部４７によって相手方との音声通話が可能となる。また、ＲＡＭ部４６に格納されたメールは、制御部４２から無線部４１を通じてメールデータとして送信処理が行なわれる。
【００２２】
無線アンテナ４０を通して無線部４１及び制御部４２によって、音声データやメールデータの送受信が行なわれる。音声は、通話部４７で送話受話が可能である。表示部４３は通話の状態を表示する。また、音声発信時には、ＲＡＭ部４６にある電話番号格納領域５０に格納された電話番号が使用できる。
【００２３】
一方、メールデータは、操作部４４から入力を行ない、表示部４３にその結果が表示される。メール送信時には、ＲＡＭ部４６にあるメールアドレス格納領域５１にあるメールアドレスが使用できる。ＲＡＭ部４６には、電話番号を格納する電話番号格納領域５０、メールアドレスを格納するメールアドレス格納領域５１、関連ＵＲＬを格納する関連ＵＲＬ格納領域５２、同時送信フラグ５３等が設けられている。
【００２４】
次に、図２及び図３に基づき、携帯電話機３８の動作を説明する。
【００２５】
ＲＡＭ部４６に格納された電話番号を操作部４４から呼出操作を行ない、その電話番号を表示部４３に表示する。操作部４４から発信の操作を行なうと、電話番号は、制御部４２に渡され、無線部４１及び無線アンテナ４０を通じて発信される。通話が確立すると、通話部４７で送話受話が可能になる。
【００２６】
また、ＲＡＭ部４６に格納されたメールアドレスを操作部４４を介して呼出操作を行ない、そのメールアドレスを表示部４３に表示する。操作部４４を介してメール本文の作成を行なった後、操作部４４から送信の操作を行なう。すると、メールアドレス及びメール本文は、制御部４２に渡され、無線部４１及び無線アンテナ４０を通じて送信される。
【００２７】
一方、メールを受信すると、そのメールは、無線アンテナ４０及び無線部４１を通して制御部４３からＲＡＭ部４６に格納され、これと同時に表示部４３に表示される。
【００２８】
ＲＡＭ部４６の中にある電話番号格納領域５０は、メールアドレス格納領域５１、関連ＵＲＬ格納領域５２、及び同時送信フラグ５３と対応する。電話発信時は、電話番号格納領域５０に格納された電話番号を使用する。この電話番号と同じ端末で使用するメールアドレスが、メールアドレス格納領域５１に格納されている。関連ＵＲＬ格納領域５２には、メールアドレス格納領域５１のメールアドレスを宛先にしたメールを生成するときに、本文となるＵＲＬが格納される。同時送信フラグ５３は、電話発信時にメールアドレス格納領域５１のメールアドレスを使ったメールを同時送信するか否かのフラグである。
【００２９】
図４は、携帯電話機３８における同時送信時の処理方法を示すフローチャートである。以下、図２乃至図４に基づき説明する。
【００３０】
まず、メモリダイヤルから電話発信を行なう（ステップ３０１）。このメモリダイヤルは、電話番号格納領域５０に格納された電話番号である。続いて、発信した電話番号に対応したメールアドレスが、メールアドレス格納領域５１に格納されているか否か、をチェックする（ステップ３０２）。格納されていない場合は、電話発信だけを継続する。格納されていた場合は、関連ＵＲＬ格納領域５２にＵＲＬが格納されているか否か、をチェックする（ステップ３０３）。格納されていない場合は、電話発信だけを継続する。
【００３１】
格納されていた場合は、同時送信フラグ５３をチェックする（ステップ３０４）。同時送信が不可になっていた場合は、電話発信だけを継続する。同時送信が可になっていた場合は、電話をかけている相手に関連ＵＲＬを通知するためのメールを作成する（ステップ３０５）。このメールは、同時送信フラグ５３が可になっていたときに、メールアドレス格納領域５１にあるメールアドレスを宛先とし、関連ＵＲＬ格納領域５２のＵＲＬを本文として作成するように、予めＲＯＭ部４５にプログラムしておく。メールを作成後、メールの送信を行なう（ステップ３０６）。メール送信後は、表示部４３に送信した本文、つまり関連ＵＲＬを表示し、ＵＲＬへのアクセスができるようにしておく（ステップ３０７）。このようにすることで、電話と同時にユーザが特に別の操作をすることなく、電話をかけた相手に、関連のあるＵＲＬを通知することが可能になる。
【００３２】
図５は、携帯電話機３８における受信時の処理方法を示すフローチャートである。以下、図２、図３及び図５に基づき説明する。
【００３３】
まず、メールを受信する（ステップ４０１）。続いて、受信したメールの本文がＵＲＬだけで作成されているか否か、をチェックする（ステップ４０２）。ＵＲＬだけで作成されていた場合には、そのＵＲＬを表示部４３に表示し、ＵＲＬへのアクセスができるようにしておく（ステップ４０３）。こうすることにより、同時送信された関連ＵＲＬを、着信側でもユーザが特別な操作をすることなく見ることが可能になる。
【００３４】
図６は、携帯電話機３８における関連ＵＲＬ格納領域５２及び同時送信フラグ５３の設定方法を示すフローチャートである。以下、図２、図３及び図６に基づき説明する。
【００３５】
まず、操作部４４からメモリダイヤル編集機能を選択する（ステップ５０１）。メモリダイヤルは、ＲＡＭ部４６に格納される電話場号、メールアドレス、関連ＵＲＬ及び同時送信フラグの全体を示すものである。電話番号の入力を行なった後（ステップ５０２）、電話番号に対応するメールアドレスの入力を行なう（ステップ５０３）。これらは、それぞれ電話番号格納領域５０及びメールアドレス格納領域５１に格納される。この入力の後、電話発信と同時に送信する関連アドレスを入力するか否かを確認する（ステップ５０４）。入力しない場合は、ここで処理を終了する。入力する場合は、関連ＵＲＬを入力する（ステップ５０５）。その結果は関連ＵＲＬ格納領域５２に格納されるが、ここではＵＲＬの入力だけを可能とするためのチェックを行なう。
【００３６】
続いて、電話発信と同時にメール送信を行なうか否かの確認を行なう（ステップ５０６）。その結果は同時送信フラグ５３に格納される。同時送信を行なうようにした場合は、ステップ５０５で関連ＵＲＬが入力されているか否かをチェックする（ステップ５０７）。このチェックにより、ＵＲＬなしのメールが作成されないようにすることが可能になる。関連ＵＲＬがあることを確認した後に、同時送信フラグ５３をＯＮにして、入力を終了する（ステップ５０８）。この一連の操作により、電話番号に関連するメールアドレス、関連ＵＲＬ、及び同時送信フラグを、簡単に入力することが可能になる。
【００３７】
なお、本発明は、言うまでもなく、上記実施形態に限定されるものではない。例えば、図３ではＵＲＬがそのまま表示されているが、図７に示すようにＵＲＬをアイコン化して表示してもよい。
【００３８】
【発明の効果】
本発明によれば、電話番号、メールアドレス及びＵＲＬが予め関連付けられて記憶され、通常の通話の操作をするだけでＵＲＬが受信側へ送信され、通常の通話の操作をするだけでＵＲＬが受信側に表示されることにより、ホームページを見ながら通話する場合に、簡単にＵＲＬを相手に伝えることができるので、操作性を向上できる。
【００３９】
また、データ送信手段で送信されたメールに含まれるＵＲＬを表示部に表示する送信側ＵＲＬ表示手段を備えた場合には、送信側と受信側とで同時に同じホームページを見ることができる。
【００４０】
従来技術では、ある特定のＵＲＬを見ながら電話で会話を行なう場合に、最初に電話をつないでＵＲＬを伝えるか、最初にメールでＵＲＬを相手に送って、その後に電話をかけるという手間がかかっていた。これに対し、本発明では、電話をかける相手の電話番号及びそのメールアドレスを格納したメモリダイヤルに、電話と同時に送信するＵＲＬ及び同時送信フラグを追加し、メモリダイヤルの電話番号を使って電話をかけると同時にメールの作成及び送信を行なうことによって、音声通話の操作だけでお互いに同じＵＲＬを知ることが可能になる。また、送信したＵＲＬと受信したＵＲＬとを画面に表示することで、そのＵＲＬへのアクセスを簡単に行なうことが可能になる。
【図面の簡単な説明】
【図１】本発明に係る送受信装置の一実施形態を示す機能ブロック図である。
【図２】図１の送受信装置を携帯電話機に適用した具体例を示すブロック図である。
【図３】図２の携帯電話機を示す外観図である。
【図４】図２の携帯電話機における同時送信時の処理方法を示すフローチャートである。
【図５】図２の携帯電話機における受信時の処理方法を示すフローチャートである。
【図６】図２の携帯電話機における関連ＵＲＬ格納領域及び同時送信フラグの設定方法を示すフローチャートである。
【図７】図２の携帯電話機を示す外観図である。
【符号の説明】
１０  送受信装置
１１  電話番号
１２  メールアドレス
１３，１５  ＵＲＬ
１４，１６  メール
１８  送受信部
１９  電話機
２０  送信データ入力手段
２２  送信データ記憶手段
２４  送信メール作成手段
２６  送信するデータ送信手段
２８  送信側ＵＲＬ表示手段
３０  データ受信手段
３２  受信側ＵＲＬ表示手段
４３  表示部
４４  操作部
【図１】
0003873697.tif 000002
【図２】
0003873697.tif 000003
【図３】
0003873697.tif 000004
【図４】
0003873697.tif 000005
【図５】
0003873697.tif 000006
【図６】
0003873697.tif 000007
【図７】
0003873697.tif 000008